(57)【特許請求の範囲】
【請求項１】
所定形状の商品収納室を備え該商品収納室の上面を構成する天板にガラス板により閉塞された採光用窓穴が形成されているショーケース用の広告部材であって、
上面と４つの側面とを有する四角筒状を成し商品収納室の天板に着脱自在に被せることが可能な形状を有すると共に、４側面の少なくとも１側面に広告部を有し、採光用の窓穴を上面に有し、窓穴が透明な透光板によって閉塞されている、
ことを特徴とするショーケース用広告部材。
【請求項２】
透光材から形成されている、
ことを特徴とする請求項１に記載のショーケース用広告部材。
【請求項３】
照明装置を備える、
ことを特徴とする請求項１または２に記載のショーケース用広告部材。
【請求項４】
人検知センサと同センサからの検知信号に基づいて宣伝音声を発生する音声発生器とから成る宣伝音声発生装置を備える、
ことを特徴とする請求項１〜３の何れか１項に記載のショーケース用広告部材。
【発明の詳細な説明】
【０００１】
【発明の属する技術分野】
本発明は、冷却商品等を販売するためのショーケースに有用な広告部材に関する。
【０００２】
【従来の技術】
冷却商品の販売、或いは、冷却商品と加温商品の同時販売を可能としたショーケースとして、例えば特開２０００−２３７０００号公報や特開２００１−８７０９０号公報に示されるように、ケース下部に機械室を備えその上側に商品収納室を備えるタイプのものがある。直方体形状を成す商品収納室は４側面のうち３側面をガラス板によって構成され、且つ、１側面を開閉自在なガラス扉によって構成されており、ガラス扉を開くことにより商品の出し入れを可能としている。
【０００３】
【発明が解決しようとする課題】
ところで、この種のショーケースには、ケース上部に商品名等が記された広告部材を備えているものと、このような広告部材を備えていないものとがある。
【０００４】
前者のものでは、収納商品と広告内容とが整合するときには問題はないが、収納商品を変えたときに収納商品と広告内容とが整合しなくなって広告による販売促進効果が得られなってしまう。尚、前記の広告部材はショーケースに一体化されているため、同広告部材を外して他のものに交換することはできない。
【０００５】
また、後者のものでは、広告部材を具備しないことから収納商品を任意に変えても前記のような不具合を生じない反面、販売促進のための広告が求められてもこの要望に適応することができない。尚、前記要望に応えるための対策の１つとして広告用ステッカーがあるが、ガラス面に貼り付けられたステッカーにより視界が遮られて展示効果が損なわれてしまうし、これを回避するためにステッカーサイズを小さくすると広告による販売促進効果が得難くなってしまう。
【０００６】
本発明は前記事情に鑑みて創作されたもので、その目的とするところは、収納商品の販売促進のための広告を的確に行えるショーケース用広告部材を提供することにある。
【０００７】
【課題を解決するための手段】
前記目的を達成するため、本発明は、所定形状の商品収納室を備えたショーケース用の広告部材であって、商品収納室の上端部に着脱自在に被せることが可能な形状を有し、側面に広告部を有する、ことをその特徴とする。
【０００８】
このショーケース用広告部材は、既存のショーケースの商品収納室の上端部に必要に応じて被せて取り付けることが可能であり、取り付けた後の状態では広告部によって販売促進のための広告を的確に行うことができる。
【０００９】
本発明の前記目的とそれ以外の目的と、構成特徴と、作用効果は、以下の説明と添付図面によって明らかとなる。
【００１０】
【発明の実施の形態】
図１は本発明に係る広告部材をショーケースに取り付けた状態を示す全体斜視図であり、図２は広告部材をショーケースから外した状態を示す部分図であり、図３は広告部材をショーケースに取り付けた状態を示す部分図である。
【００１１】
ショーケース１は既存のもので全体が縦長の直方体形状を成しており、ケース下部に機械室１ａを備えその上側に商品収納室１ｂを備えている。
【００１２】
機械室１ａ内には冷凍機器を構成する圧縮機，凝縮器，膨張手段，蒸発器，送風ファン等が収容されており、蒸発器で冷却された空気は機械室１ａ内から商品収納室１ｂ内に送り込まれ、商品収納室１ｂ内を循環した後に機械室１ａ内に戻される。
【００１３】
商品収納室１ｂは４側面のうち３側面をガラス板１ｂ１によって構成され、且つ、１側面を開閉自在なガラス扉１ｂ２によって構成されており、ガラス扉１ｂ２を開くことにより商品（図示省略）の出し入れを可能としている。また、商品収納室１ｂの上面を構成する天板１ｂ３には採光用の矩形状窓穴１ｂ４が形成されていて、この窓穴１ｂ４はガラス板１ｂ５によって閉塞されている。
【００１４】
一方、広告部材２は、上面と４つの側面とを有し、商品収納室１ｂの上端部、具体的には天板１ｂ３に着脱自在に被せることが可能な四角筒状を成している。この広告部材２はポリ塩化ビニル等の樹脂から厚さ数ｍｍに形成されており、所望の色に着色されているか或いは透明である。また、広告部材２の内面には、広告部材２の被せ位置を規定するためのストッパー２ａが接着やネジ止め等の手法によって設けられている。尚、ストッパー２ａは可能であれば広告部材２と一体に形成しても構わない。
【００１５】
また、広告部材２の上面には採光用の矩形状窓穴２ｂが形成されていて、この窓穴２ｂは透光板２ｃによって閉塞されている。この透光板２ｃはポリプロピレン等の樹脂から厚さ数ｍｍに形成されていて透明である。前記の窓穴２ｂはその内側に段差を有していて、前記の透光板２ｃはこの段差上に着脱自在に載置されている。
【００１６】
さらに、広告部材２の４側面のうちの１側面には、商品名や商品製造メーカー名等を表す文字や図形等が記された広告部２ｄが設けられている。この広告部２ｄは、広告部材２に直接印刷することにより形成されていてもよいし、ステッカーを貼り付けることにより形成されていてもよい。尚、広告部２ｄは４側面のうちの２以上の側面や全側面それぞれに設けられていても構わない。
【００１７】
収納商品の販売促進のための広告を行うときには、図２に示すように広告部２ｄがショーケース１のガラス扉１ｂ２側に向くように広告部材２の向きを合わせてから、広告部材２を天板１ｂ３に被せてショーケース１の上端部に取り付ければよい。
【００１８】
ショーケース１に対する広告部材２の取り付け作業が簡単であり、しかも、取り付けた後の状態にあっては広告部２ｄがショーケース１の最上部に位置していて購買者の目に付きやすいことから所期の販売促進効果を十分に得ることができる。
【００１９】
また、広告内容が異なる複数種の広告部材２を用意しておけば、収納商品の変更に合わせて広告部材２を交換することにより、収納商品と広告内容とを整合させて前記の販売促進効果を的確に得ることができる。
【００２０】
さらに、広告部材２の上面には採光用の窓穴２ｂが設けられ、この窓穴２ｂには透光板２ｃが設けられているので、図３に破線矢印で示すように外光を透光板２ｃを通じてショーケース１の天板１ｂ３のガラス板１ｂ５に導き、同外光をガラス板１ｂ５を通じて商品収納室１ｂ内に取り込むことができる。
【００２１】
図４は図１〜図３に示した広告部材２の変形例を示す。図４に示した広告部材２が前記広告部材２と異なるところは、広告部材２の内側に照明装置３を設けた点にある。この照明装置３は蛍光灯等の光源３ａとその支持部材３ｂとから構成されている。
【００２２】
図４に示した広告部材２によれば、広告部材２が透光性を有する場合には、光源３ａの光を広告部材２を通じて広告部２ｄの裏側に導いて広告部２ｄを照明し、広告部２ｄによる広告効果を高めることができると共に、光源３ａの光をショーケース１の天板１ｂ３のガラス板１ｂ５を通じて商品収納室１ｂ内に取り込むことができる。また、広告部材２が透光性を有しない場合には、光源３ａの光をショーケース１の天板１ｂ３のガラス板１ｂ５を通じて商品収納室１ｂ内に取り込むことができる。
【００２３】
図５は図１〜図３に示した広告部材２の他の変形例を示す。図５に示した広告部材２が前記広告部材２と異なるところは、広告部材２の内側に宣伝音声発生装置４を設けた点にある。この宣伝音声発生装置４は、検知部が広告部材２からガラス扉１ｂ２側に露出するように配置された赤外線センサ等から成る人検知センサ４ａと、同センサ４ａからの検知信号に基づいてデジタルやアナログの宣伝音声を発生する音声発生器４ｂとから構成されている。
【００２４】
図５に示した広告部材２によれば、購買者がショーケース１の近傍を通ったことを人検知センサ４ａを検知し、「商品が冷えています」や「商品が飲み頃です」等の宣伝音声を音声発生器４ｂから出力して購買意欲を高め、広告部３ｄとの協働により販売促進効果を高めることができる。勿論、前記の宣言音声発生装置４は、図４に示した広告部材２の内側に設けて照明装置３と併用するようにしても構わない。
【００２５】
尚、図１〜図３に示した広告部材と、図４及び図５のそれぞれに示した広告部材では、何れも広告部材２の上面に形成された窓穴２ｂに透光板２ｃを配置したものを示したが、図６に示すように上面に窓穴５ａのみを形成したものを広告部材５として採用してもよい。この広告部材５は所望の色に着色されているか或いは透明で、前記同様のストッパー５ｂ及び広告部５ｃを備える。勿論、この広告部材５の内側には図４に示した照明装置３や図５に示した宣伝音声発生装置４を設けるようにしても構わない。
【００２６】
また、図１〜図３に示した広告部材と、図４及び図５のそれぞれに示した広告部材と、図６に示した広告部材では、何れも広告部材２，５の上面に窓穴２ｂ，５ａを形成したものを示したが、天板１ｂ３に窓穴１ｂ４及びガラス板１ｂ５を有しないタイプのショーケース１’を広告部材取り付け対象とする場合には図７に示すように上面に窓穴等を有しないものを広告部材６として採用してもよい。この広告部材６は所望の色に着色されているか或いは透明で、前記同様のストッパー６ａ及び広告部６ｂを備える。勿論、この広告部材６の内側には図４に示した照明装置３や図５に示した宣伝音声発生装置４を設けるようにしても構わない。
【００２７】
【発明の効果】
以上詳述したように本発明によれば、ショーケースに対する広告部材の取り付け作業が簡単であり、しかも、取り付けた後の状態にあっては広告部がショーケースの最上部に位置していて購買者の目に付きやすいことから所期の販売促進効果を十分に得ることができる。また、広告内容が異なる複数種の広告部材を用意しておけば、収納商品の変更に合わせて広告部材を交換することにより、収納商品と広告内容とを整合させて前記の販売促進効果を的確に得ることができる。
【図面の簡単な説明】
【図１】本発明に係る広告部材をショーケースに取り付けた状態を示す全体斜視図
【図２】広告部材をショーケースから外した状態を示す部分図
【図３】広告部材をショーケースに取り付けた状態を示す部分図
【図４】図１〜図３に示した広告部材の変形例を示す図
【図５】図１〜図３に示した広告部材の他の変形例を示す図
【図６】図１〜図３に示した広告部材と図４及び図５のそれぞれに示した広告部材の変形例を示す図
【図７】図１〜図３に示した広告部材と図４及び図５のそれぞれに示した広告部材と図６に示した広告部材の他の変形例を示す図
【符号の説明】
１…ショーケース、１ｂ…商品収納室、２…広告部材、２ｂ…窓穴、２ｃ…透光板、２ｄ…広告部、３…照明装置、４…宣伝音声発生装置、４ａ…人検知センサ、４ｂ…音声発生器、５…広告部材、５ａ…窓穴、５ｃ…広告部、６…広告部材、６ｂ…広告部、１’…ショーケース。
【図１】
0003672853.tif 000002
【図２】
0003672853.tif 000003
【図３】
0003672853.tif 000004
【図４】
0003672853.tif 000005
【図５】
0003672853.tif 000006
【図６】
0003672853.tif 000007
【図７】
0003672853.tif 000008